(57)【要約】【目的】冷却水を貯留し、該冷却水に浸漬している冷却管を通過した飲料を冷却する冷却水槽に関し、冷却水槽に氷を投入したり、冷却水を補充する際に氷や水が飛び散っても、床に垂れることのない冷却水槽を提供することを目的とする。【構成】冷却水４を貯留し、該冷却水４に浸漬している冷却パイプ１１を通過した飲料を冷却する冷却水槽５において、冷却水槽５の壁面を形成する断熱壁２１上端面２１ａを傾斜面とした。【選択図】        図１
2005212892.tif 000002
【特許請求の範囲】
【請求項１】
冷却水を貯留し、該冷却水に浸漬している冷却管を通過した飲料を冷却する冷却水槽において、
前記冷却水槽の壁面を形成する断熱壁上端面の少なくとも一部を傾斜面としたことを特徴とする冷却水槽。
【発明の詳細な説明】
【技術分野】
【０００１】
本発明は、冷却水を貯留し、該冷却水に浸漬している冷却管を通過した飲料を冷却する冷却水槽に関するものである。
【背景技術】
【０００２】
たとえば、飲料を冷却して供給する飲料ディスペンサには、供給する飲料を冷却するための冷却水槽が設けられている。この冷却水槽には、飲料冷却用の冷却水が貯留され、その冷却水中に冷却装置に連通するエバポレータを設け、このエバポレータの周囲に形成させたアイスバンク（氷塊）の蓄熱量を利用して冷却水温度を略０℃に保つようにしている。そして、この冷却水にコイル状の金属製パイプなどからなる冷却管を浸漬し、該冷却管を通過させて冷却した飲料を供給する（例えば、特許文献１参照）。
【特許文献１】特開２００２−８００９５号公報
【発明の開示】
【発明が解決しようとする課題】
【０００３】
しかしながら、飲料を連続して供給すると、冷却管を通過する飲料の熱量で冷却水温度が上昇してアイスバンクが溶けだし、さらに冷却水温度が上昇して冷却管を通過する飲料が冷えなくなると、程良く冷やした飲料を提供することができなくなる虞が生じる。
このようなときには、飲料ディスペンサの天板を取り外して冷却水槽内に氷を投入して冷却水温度を下げ、程良く冷やした飲料の販売を続けるようにしている。
ところが、冷却水槽の断熱壁フランジ部は水平になっているため、氷を投入する際や冷却水を補充する際に飛び散った氷や水がフランジ部に付着し、それが水槽と外装部品との間などを伝い床に垂れる不具合が生じる。
本発明は、上記実情に鑑みて、冷却水を貯留し、該冷却水に浸漬している冷却管を通過した飲料を冷却する冷却水槽に関し、冷却水槽に氷を投入したり、冷却水を補充する際に氷や水が飛び散っても、床に垂れることのない冷却水槽を提供することを目的とする。
【課題を解決するための手段】
【０００４】
上記目的を達成するため、本発明の請求項１に係る冷却水槽は、冷却水を貯留し、該冷却水に浸漬している冷却管を通過した飲料を冷却する冷却水槽において、
前記冷却水槽の壁面を形成する断熱壁上端面の少なくとも一部を傾斜面としたことを特徴とする。
【発明の効果】
【０００５】
請求項１の発明によれば、冷却水槽の壁面を形成する断熱壁上端面の少なくとも一部を傾斜面としたので、投入された氷が断熱壁上端面に載って溶解することなく確実に冷却水槽内に落下するようになる。そして、氷が冷却水に落下して生じた飛沫も冷却水槽の内側方向に傾斜した上端面により冷却水槽内に流れ落ちるようになる。このように、冷却水を貯留し、該冷却水に浸漬している冷却管を通過した飲料を冷却する冷却水槽に関し、冷却水槽に氷を投入したり、冷却水を補充する際に氷や水が飛び散っても、床に垂れることのない冷却水槽を提供することができる。
【発明を実施するための最良の形態】
【０００６】
以下に添付図面を参照して、本発明に係る冷却水槽の好適な実施の形態について詳細に説明する。
図１は、本発明をビールディスペンサに適用した場合の概略構成を示し、（ａ）は正面図、（ｂ）は側面図、（ｃ）は天面図である。図１に示すように、ビールを冷却して供給するビールディスペンサ１の天板２と側板３で構成する外装板内には、冷却水４を貯留する冷却水槽５と、この冷却水４中に浸漬したエバポレータ（蒸発器ともいう）６、コンプレッサ７、コンデンサー（凝縮器ともいう）８、コンデンサー８を冷却する送風ファン９などで構成する冷却装置１０が設けられている。ビールディスペンサ１の前面には、冷却水４中に浸漬した冷却パイプ（冷却管ともいう）１１の注出側端部に連通する注出バルブ１２が取り付けてあり、冷却パイプ１１は図示しないガスボンベから圧送される炭酸ガスの圧力で貯蔵タンクから押し出されたビールを供給するための供給パイプ１３に連通している。注出バルブ１２は操作レバー１２ａを揺動操作すると、これに従動する弁機構を開放して、冷却パイプ１１を通過して冷やされたビールが注出ノズル１２ｂから注出される。また、注出バルブ１２の下方には、簀の子１４ａを設けたドレン皿１４が取り付けられ、注出ノズル１２ｂから滴下する飲料を受容するとともに、ビールジョッキなどの容器を載置することができる。
【０００７】
図２は図１のＡ−Ａ部を矢印方向に見た断面側面図、図３は図１のＢ−Ｂ部を矢印方向に見た断面側面図である。図に示すように、冷却水４を貯留する冷却水槽５は、側面および底面を断熱壁２１で構成し、その上方を開口した略直方体の水槽であり、断熱壁２１の上端面２１ａを冷却水槽５の内側方向に傾斜した面としている。また、コンプレッサ７、コンデンサー８、送風ファン９と共に冷却装置１０を構成するエバポレータ６は、コイル状に巻回されて冷却水槽５の断熱壁２１内側に配設され、冷媒の蒸発熱でその周囲にアイスバンク２２を形成し、この蓄熱量を利用して冷却水４の温度を略０℃に保つようにしている。さらに、コイル状に巻回されたエバポレータ６の内側には、ステンレス製の冷却パイプ１１がコイル状に巻回されて冷却水４に浸漬するように配置され、この冷却パイプ１１の供給側端部は断熱壁２１の上部から延出されて供給パイプ１３に連通する。断熱壁２１上方には冷却水４を撹拌するための撹拌モータ２３の取り付け部材２６が横に架け渡されて取り付けられ、モータ軸２４には撹拌羽根２５を装着している。この撹拌羽根２５は、撹拌モータ２３の回転に伴って回転し、冷却水槽５内の冷却水４を下方に向けて流動させ、冷却パイプ１１を通過する飲料を効率よく冷やすようにしている。
【０００８】
このように、冷却水槽５の断熱壁２１の上端面２１ａを冷却水槽５の内側方向に傾斜した面としているので、投入された氷が断熱壁２１上端面２１ａに載っても溶解することなく確実に冷却水槽５内に落下する。そして、氷が冷却水４に落下して生じた飛沫も冷却水槽５の内側方向に傾斜した上端面２１ａにより冷却水槽５内に流れ落ちる。
【図面の簡単な説明】
【０００９】
【図１】本発明をビールディスペンサに適用した場合の概略構成を示す。
【図２】図１のＡ−Ａ部を矢印方向に見た断面側面図である。
【図３】図１のＢ−Ｂ部を矢印方向に見た断面側面図である。
【符号の説明】
【００１０】
１      ビールディスペンサ
２      天板
３      側板
４      冷却水
５      冷却水槽
６      エバポレータ
１０      冷却装置
１１      冷却パイプ
１２      飲料注出バルブ
２１      断熱壁
２１ａ    上端面
２２      アイスバンク
２３      撹拌モータ
２５      撹拌羽根
【図１】
2005212892.tif 000003
【図２】
2005212892.tif 000004
【図３】
2005212892.tif 000005